(57)【要約】  本願実施例は無線通信の方法、端末装置、及びネットワーク装置を提供し、Ｄ２Ｄ通信システムにおいて端末装置はデータ伝送のＲＡＴを決定でき、これにより、データの確実な伝送を確保する。該方法は端末から端末への通信に適用され、該方法は、端末装置が設定情報に基づいて第１サービスを伝送するＲＡＴを決定し、該設定情報は少なくとも１つのサービスと少なくとも１つのＲＡＴとの対応関係を示し、該第１サービスは該少なくとも１つのサービスに属することを含む。
2021508970.tif 000002
【特許請求の範囲】
【請求項１】
無線通信の方法であって、端末から端末への通信に適用され、
端末装置が設定情報に基づいて第１サービスを伝送する無線アクセス技術（ＲＡＴ）を決定し、
前記設定情報は少なくとも１つのサービスと少なくとも１つのＲＡＴとの対応関係を示し、前記第１サービスは前記少なくとも１つのサービスに属することを含むことを特徴とする無線通信の方法。
【請求項２】
前記設定情報は具体的に、前記少なくとも１つのサービスの識別子と前記少なくとも１つのＲＡＴとの対応関係を示すことに用いられることを特徴とする請求項１に記載の方法。
【請求項３】
前記少なくとも１つのサービスの識別子は、サービスプロバイダ識別子（ＰＳＩＤ）又はインテリジェント伝送システムアプリケーション識別子（ＩＴＳ−ＡＩＤ）であることを特徴とする請求項２に記載の方法。
【請求項４】
前記設定情報は具体的に、前記少なくとも１つのサービスのデータパケット優先順位（ＰＰＰＰ）と前記少なくとも１つのＲＡＴとの対応関係を示すことに用いられることを特徴とする請求項１に記載の方法。
【請求項５】
前記ＲＡＴは前記第１タイプのキャリアに対するＲＡＴ、及び／又は、前記第２タイプのキャリアに対するＲＡＴであり、前記第１タイプのキャリアはアップリンクにおけるデータを伝送することに用いられ、前記第２タイプのキャリアはサイドリンクにおけるデータを伝送することに用いられることを特徴とする請求項１〜４のいずれか１項に記載の方法。
【請求項６】
前記ＲＡＴはアクセス層パラメータを含み、前記アクセス層パラメータは、
変調に直交振幅変調（６４ＱＡＭ）を使用するかどうか、伝送に送信ダイバーシティを使用するかどうか、伝送にキャリアアグリゲーションを使用するかどうか、のうちの少なくとも１つであることを特徴とする請求項１〜５のいずれか１項に記載の方法。
【請求項７】
前記端末装置は前記端末装置のアクセス層であり、前記端末装置が前記設定情報に基づいて前記第１サービスを伝送する前記ＲＡＴを決定する前に、前記方法は更に、
前記端末装置のアクセス層が前記端末装置の上位層から前記設定情報を受信することを含むことを特徴とする請求項１〜６のいずれか１項に記載の方法。
【請求項８】
前記端末装置が前記設定情報に基づいて前記第１サービスを伝送する前記ＲＡＴを決定する前に、前記方法は更に、
前記端末装置がネットワーク装置から前記設定情報を受信することを含むことを特徴とする請求項１〜６のいずれか１項に記載の方法。
【請求項９】
無線通信の方法であって、端末から端末への通信に適用され、
ネットワーク装置が端末装置に設定情報を送信して、前記端末装置が前記設定情報に基づいて第１サービスを伝送する無線アクセス技術（ＲＡＴ）を決定するようにし、
前記設定情報は少なくとも１つのサービスと少なくとも１つのＲＡＴとの対応関係を示し、前記第１サービスは前記少なくとも１つのサービスに属することを含むことを特徴とする無線通信の方法。
【請求項１０】
前記設定情報は具体的に、前記少なくとも１つのサービスの識別子と前記少なくとも１つのＲＡＴとの対応関係を示すことに用いられることを特徴とする請求項９に記載の方法。
【請求項１１】
前記少なくとも１つのサービスの識別子は、サービスプロバイダ識別子（ＰＳＩＤ）又はインテリジェント伝送システムアプリケーション識別子（ＩＴＳ−ＡＩＤ）であることを特徴とする請求項１０に記載の方法。
【請求項１２】
前記設定情報は具体的に、前記少なくとも１つのサービスのデータパケット優先順位（ＰＰＰＰ）と前記少なくとも１つのＲＡＴとの対応関係を示すことに用いられることを特徴とする請求項９に記載の方法。
【請求項１３】
前記ＲＡＴは前記第１タイプのキャリアに対するＲＡＴ、及び／又は、前記第２タイプのキャリアに対するＲＡＴであり、前記第１タイプのキャリアはアップリンク及び／又はダウンリンクにおけるデータを伝送することに用いられ、前記第２タイプのキャリアはサイドリンクにおけるデータを伝送することに用いられることを特徴とする請求項９〜１２のいずれか１項に記載の方法。
【請求項１４】
前記ＲＡＴはアクセス層パラメータを含み、前記アクセス層パラメータは、
変調に直交振幅変調（６４ＱＡＭ）を使用するかどうか、伝送に送信ダイバーシティを使用するかどうか、伝送にキャリアアグリゲーションを使用するかどうか、のうちの少なくとも１つであることを特徴とする請求項９〜１３のいずれか１項に記載の方法。
【請求項１５】
端末装置であって、端末から端末への通信に適用され、
設定情報に基づいて第１サービスを伝送する無線アクセス技術（ＲＡＴ）を決定し、前記設定情報は少なくとも１つのサービスと少なくとも１つのＲＡＴとの対応関係を示し、前記第１サービスは前記少なくとも１つのサービスに属することに用いられる処理ユニットを含むことを特徴とする端末装置。
【請求項１６】
前記設定情報は具体的に、前記少なくとも１つのサービスの識別子と前記少なくとも１つのＲＡＴとの対応関係を示すことに用いられることを特徴とする請求項１５に記載の端末装置。
【請求項１７】
前記少なくとも１つのサービスの識別子は、サービスプロバイダ識別子（ＰＳＩＤ）又はインテリジェント伝送システムアプリケーション識別子（ＩＴＳ−ＡＩＤ）であることを特徴とする請求項１６に記載の端末装置。
【請求項１８】
前記設定情報は具体的に、前記少なくとも１つのサービスのデータパケット優先順位（ＰＰＰＰ）と前記少なくとも１つのＲＡＴとの対応関係を示すことに用いられることを特徴とする請求項１５に記載の端末装置。
【請求項１９】
前記ＲＡＴは前記第１タイプのキャリアに対するＲＡＴ、及び／又は、前記第２タイプのキャリアに対するＲＡＴであり、前記第１タイプのキャリアはアップリンクにおけるデータを伝送することに用いられ、前記第２タイプのキャリアはサイドリンクにおけるデータを伝送することに用いられることを特徴とする請求項１５〜１８のいずれか１項に記載の端末装置。
【請求項２０】
前記ＲＡＴはアクセス層パラメータを含み、前記アクセス層パラメータは、
変調に直交振幅変調（６４ＱＡＭ）を使用するかどうか、伝送に送信ダイバーシティを使用するかどうか、伝送にキャリアアグリゲーションを使用するかどうか、のうちの少なくとも１つであることを特徴とする請求項１５〜１９のいずれか１項に記載の端末装置。
【請求項２１】
前記端末装置は前記端末装置のアクセス層であり、前記処理ユニットが前記設定情報に基づいて前記第１サービスを伝送する前記ＲＡＴを決定する前に、前記端末装置は更に、
前記端末装置の上位層から前記設定情報を受信することに用いられる受信ユニットを備えることを特徴とする請求項１５〜２０のいずれか１項に記載の端末装置。
【請求項２２】
前記処理ユニットが前記設定情報に基づいて前記第１サービスを伝送する前記ＲＡＴを決定する前に、前記端末装置は更に、
ネットワーク装置から前記設定情報を受信することに用いられる受信ユニットを備えることを特徴とする請求項１５〜２０のいずれか１項に記載の端末装置。
【請求項２３】
ネットワーク装置であって、端末から端末への通信に適用され、
端末装置に設定情報を送信して、前記端末装置が前記設定情報に基づいて第１サービスを伝送する無線アクセス技術（ＲＡＴ）を決定するようにし、
前記設定情報は少なくとも１つのサービスと少なくとも１つのＲＡＴとの対応関係を示し、前記第１サービスは前記少なくとも１つのサービスに属することに用いられる送信ユニットを備えることを特徴とするネットワーク装置。
【請求項２４】
前記設定情報は具体的に、前記少なくとも１つのサービスの識別子と前記少なくとも１つのＲＡＴとの対応関係を示すことに用いられることを特徴とする請求項２３に記載のネットワーク装置。
【請求項２５】
前記少なくとも１つのサービスの識別子は、サービスプロバイダ識別子（ＰＳＩＤ）又はインテリジェント伝送システムアプリケーション識別子（ＩＴＳ−ＡＩＤ）であることを特徴とする請求項２４に記載のネットワーク装置。
【請求項２６】
前記設定情報は具体的に、前記少なくとも１つのサービスのデータパケット優先順位（ＰＰＰＰ）と前記少なくとも１つのＲＡＴとの対応関係を示すことに用いられることを特徴とする請求項２３に記載のネットワーク装置。
【請求項２７】
前記ＲＡＴは前記第１タイプのキャリアに対するＲＡＴ、及び／又は、前記第２タイプのキャリアに対するＲＡＴであり、前記第１タイプのキャリアはアップリンク及び／又はダウンリンクにおけるデータを伝送することに用いられ、前記第２タイプのキャリアはサイドリンクにおけるデータを伝送することに用いられることを特徴とする請求項２３〜２６のいずれか１項に記載のネットワーク装置。
【請求項２８】
前記ＲＡＴはアクセス層パラメータを含み、前記アクセス層パラメータは、
変調に直交振幅変調（６４ＱＡＭ）を使用するかどうか、伝送に送信ダイバーシティを使用するかどうか、伝送にキャリアアグリゲーションを使用するかどうか、のうちの少なくとも１つであることを特徴とする請求項２３〜２７のいずれか１項に記載のネットワーク装置。
【発明の詳細な説明】
【技術分野】
【０００１】
本願は通信分野に関し、より具体的に、無線通信の方法、端末装置、及びネットワーク装置に関する。
【背景技術】
【０００２】
端末から端末へ（Ｄ２Ｄ、Ｄｅｖｉｃｅ  ｔｏ  Ｄｅｖｉｃｅ）通信システムでは、端末装置（例えば、車載端末）は、アップリンク（Ｕｐｌｉｎｋ）においてＵｕキャリアを介してネットワーク装置とデータ伝送を行うこと、及びサイドリンク（Ｓｉｄｅｌｉｎｋ）においてＰＣ５キャリアを介して他の端末とデータ伝送を行うことができる。
【０００３】
データ伝送を確保するために、端末装置は更にデータ伝送の無線アクセス技術（ＲＡＴ、Ｒａｄｉｏ  Ａｃｃｅｓｓ  Ｔｅｃｈｎｏｌｏｇｙ）を決定する必要がある。しかし、端末装置がデータ伝送のＲＡＴをどのように決定するかについてはまだ明確な案がない。
【発明の概要】
【発明が解決しようとする課題】
【０００４】
本願実施例は無線通信の方法、端末装置、及びネットワーク装置を提供し、Ｄ２Ｄ通信システムにおいて、端末装置はデータ伝送のＲＡＴを決定でき、これにより、データの確実な伝送を確保する。
【課題を解決するための手段】
【０００５】
第１態様では、本願実施例は無線通信の方法を提供し、該方法は端末から端末への通信システムに適用され、該方法は、
端末装置が設定情報に基づいて第１サービスを伝送する無線アクセス技術（ＲＡＴ）を決定し、
該設定情報は少なくとも１つのサービスと少なくとも１つのＲＡＴとの対応関係を示し、該第１サービスは該少なくとも１つのサービスに属することを含む。
【０００６】
従って、本願実施例の無線通信の方法では、端末装置は少なくとも１つのサービスと少なくとも１つのＲＡＴとの対応関係を示す設定情報に基づいて第１サービスを伝送するＲＡＴを決定でき、これにより、第１サービスのデータの確実な伝送を確保する。
【０００７】
選択肢として、第１態様の１つの実現方式では、該設定情報は具体的に、該少なくとも１つのサービスの識別子と該少なくとも１つのＲＡＴとの対応関係を示すことに用いられる。
【０００８】
選択肢として、第１態様の１つの実現方式では、該少なくとも１つのサービスの識別子は、サービスプロバイダ識別子（ＰＳＩＤ、Ｐｒｏｖｉｄｅｒ  Ｓｅｒｖｉｃｅ  Ｉｄｅｎｔｉｆｉｅｒ）又はインテリジェント伝送システムアプリケーション識別子（ＩＴＳ−ＡＩＤ、Ｉｎｔｅｌｌｉｇｅｎｔ  Ｔｒａｎｓｐｏｒｔａｔｉｏｎ  Ｓｙｓｔｅｍ  Ａｐｐｌｉｃａｔｉｏｎ  Ｉｄｅｎｔｉｆｉｅｒ）である。
【０００９】
選択肢として、第１態様の１つの実現方式では、該設定情報は具体的に、該少なくとも１つのサービスのデータパケット優先順位（ＰＰＰＰ、ＰｒｏＳｅ  Ｐｅｒ−Ｐａｃｋｅｔ  Ｐｒｉｏｒｉｔｙ）と該少なくとも１つのＲＡＴとの対応関係を示すことに用いられる。
【００１０】
選択肢として、第１態様の１つの実現方式では、該ＲＡＴは該第１タイプのキャリアに対するＲＡＴ、及び／又は、該第２タイプのキャリアに対するＲＡＴであり、該第１タイプのキャリアはアップリンクにおけるデータを伝送することに用いられ、該第２タイプのキャリアはサイドリンクにおけるデータを伝送することに用いられる。
【００１１】
選択肢として、第１態様の１つの実現方式では、該ＲＡＴはアクセス層パラメータを含み、該アクセス層パラメータは、
変調に６４直交振幅変調（６４ＱＡＭ、６４  Ｑｕａｄｒａｔｕｒｅ  Ａｍｐｌｉｔｕｄｅ  Ｍｏｄｕｌａｔｉｏｎ）を使用するかどうか、伝送に送信ダイバーシティを使用するかどうか、伝送にキャリアアグリゲーションを使用するかどうか、のうちの少なくとも１つである。
【００１２】
選択肢として、第１態様の１つの実現方式では、該端末装置は該端末装置のアクセス層であり、該端末装置が該設定情報に基づいて該第１サービスを伝送する該ＲＡＴを決定する前に、該方法は更に、
該端末装置のアクセス層が該端末装置の上位層から該設定情報を受信することを含む。
【００１３】
選択肢として、第１態様の１つの実現方式では、該端末装置が該設定情報に基づいて該第１サービスを伝送する該ＲＡＴを決定する前に、該方法は更に、
該端末装置がネットワーク装置から該設定情報を受信することを含む。
【００１４】
第２態様では、本願実施例は無線通信の方法を提供し、該方法は端末から端末への通信に適用され、該方法は、
ネットワーク装置が端末装置に設定情報を送信して、該端末装置が該設定情報に基づいて第１サービスを伝送する無線アクセス技術（ＲＡＴ）を決定するようにし、
該設定情報は少なくとも１つのサービスと少なくとも１つのＲＡＴとの対応関係を示し、該第１サービスは該少なくとも１つのサービスに属することを含む。
【００１５】
従って、本願実施例の無線通信の方法では、ネットワーク装置は少なくとも１つのサービスと少なくとも１つのＲＡＴとの対応関係を示す設定情報を端末装置に設定し、これにより、端末装置は設定情報に基づいて第１サービスを伝送するＲＡＴを決定でき、それによって、第１サービスのデータの確実な伝送を確保する。
【００１６】
選択肢として、第２態様の１つの実現方式では、該設定情報は具体的に、該少なくとも１つのサービスの識別子と該少なくとも１つのＲＡＴとの対応関係を示すことに用いられる。
【００１７】
選択肢として、第２態様の１つの実現方式では、該少なくとも１つのサービスの識別子はＰＳＩＤ又はＩＴＳ−ＡＩＤである。
【００１８】
選択肢として、第２態様の１つの実現方式では、該設定情報は具体的に、該少なくとも１つのサービスのＰＰＰＰと該少なくとも１つのＲＡＴとの対応関係を示すことに用いられる。
【００１９】
選択肢として、第２態様の１つの実現方式では、該ＲＡＴは該第１タイプのキャリアに対するＲＡＴ、及び／又は、該第２タイプのキャリアに対するＲＡＴであり、該第１タイプのキャリアはアップリンク及び／又はダウンリンクにおけるデータを伝送することに用いられ、該第２タイプのキャリアはサイドリンクにおけるデータを伝送することに用いられる。
【００２０】
選択肢として、第２態様の１つの実現方式では、該ＲＡＴはアクセス層パラメータを含み、該アクセス層パラメータは、
変調に６４ＱＡＭを使用するかどうか、伝送に送信ダイバーシティを使用するかどうか、伝送にキャリアアグリゲーションを使用するかどうか、のうちの少なくとも１つである。
【００２１】
第３態様では、本願実施例は端末装置を提供し、第１態様又は第１態様のいずれか１つの選択可能な実現方式における方法のモジュール又はユニットを実行できる。
【００２２】
第４態様では、本願実施例はネットワーク装置を提供し、第２態様又は第２態様のいずれか１つの選択可能な実現方式における方法のモジュール又はユニットを実行できる。
【００２３】
第５態様では、端末装置を提供し、該端末装置はプロセッサ、メモリ、及び通信インタフェースを備える。プロセッサはメモリ及び通信インタフェースに接続する。メモリは命令を記憶することに用いられ、プロセッサは該命令を実行することに用いられ、通信インタフェースはプロセッサの制御によって他のネットワーク要素と通信を行うことに用いられる。該プロセッサが該メモリに記憶される命令を実行する時、該実行によって、該プロセッサは第１態様又は第１態様のいずれかの可能な実現方式における方法を実行する。
【００２４】
第６態様では、ネットワーク装置を提供し、該ネットワーク装置はプロセッサ、メモリ、及び通信インタフェースを備える。プロセッサはメモリ及び通信インタフェースに接続する。メモリは命令を記憶することに用いられ、プロセッサは該命令を実行することに用いられ、通信インタフェースはプロセッサの制御によって他のネットワーク要素と通信を行うことに用いられる。該プロセッサが該メモリに記憶される命令を実行する時、該実行によって、該プロセッサは第２態様又は第２態様のいずれかの可能な実現方式における方法を実行する。
【００２５】
第７態様では、コンピュータ記憶媒体を提供し、該コンピュータ記憶媒体にプログラムコードが記憶され、該プログラムコードはコンピュータを指示して上記各態様に記載の方法の命令を実行させることに用いられる。
【００２６】
第８態様では、命令を含むコンピュータプログラム製品を提供し、該コンピュータプログラム製品がコンピュータにおいて実行される時、コンピュータは上記各態様に記載の方法を実行する。
【図面の簡単な説明】
【００２７】
【図１】図１は本願実施例の１つの応用シーンの模式図である。
【図２】図２は本願実施例の他の１つの応用シーンの模式図である。
【図３】図３は本願の１つの実施例による無線通信の方法の模式的なフローチャートである。
【図４】図４は本願の他の１つの実施例による無線通信の方法の模式的なフローチャートである。
【図５】図５は本願実施例による端末装置の模式的なブロック図である。
【図６】図６は本願実施例によるネットワーク装置の模式的なブロック図である。
【図７】図７は本願実施例によるシステムチップの模式的な構造図である。
【図８】図８は本願実施例の提供する無線通信装置の模式的なブロック図を示す。
【発明を実施するための形態】
【００２８】
以下は、本願実施例の図面を参照しながら、本願実施例における技術案を明確且つ完全に説明する。
【００２９】
理解されるように、本願実施例の技術案はデバイス間（Ｄ２Ｄ、Ｄｅｖｉｃｅ  ｔｏ  Ｄｅｖｉｃｅ）通信システム、例えば、ロングタームエボリューション（ＬＴＥ、Ｌｏｎｇ  Ｔｅｒｍ  Ｅｖｏｌｕｔｉｏｎ）に基づいてＤ２Ｄ通信を行う車両のインターネットシステムに適用できる。従来のＬＴＥシステムにおける、端末間の通信データがネットワーク装置（例えば、基地局）を介して受信又は送信されるという方式と違って、車両のインターネットシステムは端末から端末へ直接通信という方式を採用し、従って、より高いスペクトル効率とより低い伝送遅延を有する。
【００３０】
選択肢として、車両のインターネットシステムの基づく通信システムは、グローバル移動体通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ＬＴＥシステム、ＬＴＥ周波数分割二重接続（ＦＤＤ、Ｆｒｅｑｕｅｎｃｙ  Ｄｉｖｉｓｉｏｎ  Ｄｕｐｌｅｘ）システム、ＬＴＥ時分割二重（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波アクセスの世界的相互運用性（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、５Ｇの新しいエアインタフェース（ＮＲ、Ｎｅｗ  Ｒａｄｉｏ）システム等であってもよい。
【００３１】
本願実施例における端末装置はＤ２Ｄ通信を実現できる端末装置であってもよい。例えば、車載端末装置であってよく、５Ｇネットワークにおける端末装置又は将来進化する公衆陸上移動網（ＰＬＭＮ、Ｐｕｂｌｉｃ  Ｌａｎｄ  Ｍｏｂｉｌｅ  Ｎｅｔｗｏｒｋ）における端末装置等であってもよく、本願はこれを限定しない。
【００３２】
図１及び図２は本願実施例の１つの応用シーンの模式図である。図１は１つのネットワーク装置と２つの端末装置を例示的に示しているが、選択肢として、本願実施例における無線通信システムは複数のネットワーク装置を備えてもよく、そして各ネットワーク装置のカバレッジ範囲内に他の数の端末装置が含まれてもよく、本願の実施例はこれを限定しない。
【００３３】
選択肢として、該無線通信システムは更に、移動管理エンティティ（ＭＭＥ、Ｍｏｂｉｌｅ  Ｍａｎａｇｅｍｅｎｔ  Ｅｎｔｉｔｙ）、サービングゲートウェイ（Ｓ−ＧＷ、Ｓｅｒｖｉｎｇ  Ｇａｔｅｗａｙ）、パケットデータネットワークゲートウェイ（Ｐ−ＧＷ、Ｐａｃｋｅｔ  Ｄａｔａ  Ｎｅｔｗｏｒｋ  Ｇａｔｅｗａｙ）等の他のネットワークエンティティを備えてもよく、又は、該無線通信システムは更に、セッション管理機能（ＳＭＦ、Ｓｅｓｓｉｏｎ  Ｍａｎａｇｅｍｅｎｔ  Ｆｕｎｃｔｉｏｎ）、統合データ管理（ＵＤＭ、Ｕｎｉｆｉｅｄ  Ｄａｔａ  Ｍａｎａｇｅｍｅｎｔ）、認証サーバ機能（ＡＵＳＦ、Ａｕｔｈｅｎｔｉｃａｔｉｏｎ  Ｓｅｒｖｅｒ  Ｆｕｎｃｔｉｏｎ）等の他のネットワークエンティティを備えてもよく、本願実施例はこれを限定しない。
【００３４】
具体的に、端末装置２０と端末装置３０とはＤ２Ｄ通信モードで通信でき、Ｄ２Ｄ通信を行う時、端末装置２０と端末装置３０はＤ２Ｄリンク、即ちサイドリンク（ＳＬ、Ｓｉｄｅｌｉｎｋ）を介して直接に通信を行う。例えば、図１又は図２に示すように、端末装置２０と端末装置３０とはサイドリンクを介して直接に通信を行う。図１では、端末装置２０と端末装置３０とはサイドリンクを介して通信し、その伝送リソースはネットワーク装置によって割り当てられたものであり、図２では、端末装置２０と端末装置３０とはサイドリンクを介して通信し、その伝送リソースは、ネットワーク装置による伝送リソース割り当てを必要とせずに、端末装置によって自主的に選択されたものである。
【００３５】
Ｄ２Ｄ通信は車両間（Ｖｅｈｉｃｌｅ  ｔｏ  Ｖｅｈｉｃｌｅ、「Ｖ２Ｖ」と略称される）通信又は車両から他の装置へ（Ｖ２Ｘ、Ｖｅｈｉｃｌｅ  ｔｏ  Ｅｖｅｒｙｔｈｉｎｇ）の通信を指してもよい。Ｖ２Ｘ通信では、Ｘは、無線受信及び送信能力を有する任意の装置を一般的に指してもよく、例えば、低速で移動する無線装置、高速で移動する車載装置、又は無線送受信能力を有するネットワーク制御ノード等を含むが、これらには限らない。理解されるように、本願実施例は主にＶ２Ｘ通信のシーンに適用されるが、他の任意のＤ２Ｄ通信シーンにも適用されてもよく、本願実施例はこれについて何も限定しない。
【００３６】
車両のインターネットシステムにおいては、２つのタイプの端末装置、即ち、センシング能力を有する端末装置、例えば、車載端末（ＶＵＥ、Ｖｅｈｉｃｌｅ  Ｕｓｅｒ  Ｅｑｕｉｐｍｅｎｔ）又は歩行者携帯端末（ＰＵＥ、Ｐｅｄｅｓｔｒｉａｎ  Ｕｓｅｒ  Ｅｑｕｉｐｍｅｎｔ）、及びセンシング能力を有しない端末装置、例えばＰＵＥが存在することができる。ＶＵＥはより高い処理能力を有し、そして通常は車内のバッテリーによって電力供給され、一方、ＰＵＥは処理能力が比較的に低く、消費電力の低減もＰＵＥの場合の考慮必要な主要要素である。従って、現在の車両のインターネットシステムでは、ＶＵＥは完全な受信能力とセンシング能力を有すると見なされ、ＰＵＥは受信とセンシング能力を一部有する又は有しないと見なされる。ＰＵＥが一部のセンシング能力を有する場合、そのリソースの選択ではＶＵＥと類似するセンシング方法を採用して、センシング可能なリソース部分において利用可能なリソースの選択を行ってもよく、ＰＵＥがセンシング能力を有しない場合、ＰＵＥはリソースプールにおいてランダムに伝送リソースを選択する。
【００３７】
尚、本願の各態様又は特徴は、方法、装置又は標準プログラミング及び／又は工程技術を使用した製品として実現できる。本願において使用される「製品」という用語は、任意のコンピュータ可読ディバイス、キャリア又は媒体からアクセスできるコンピュータプログラムを含む。例えば、コンピュータ可読媒体は、磁気記憶装置（例えば、ハードディスク、フロッピーディスク又は磁気テープ等）、光ディスク（例えば、コンパクトディスク（ＣＤ、Ｃｏｍｐａｃｔ  Ｄｉｓｃ）、デジタル汎用ディスク（ＤＶＤ、Ｄｉｇｉｔａｌ  Ｖｅｒｓａｔｉｌｅ  Ｄｉｓｃ）等）、スマートカード、フラッシュメモリ装置（例えば、書き換え可能プログラマブル読み取り専用メモリ（ＥＰＲＯＭ、Ｅｒａｓａｂｌｅ  Ｐｒｏｇｒａｍｍａｂｌｅ  Ｒｅａｄ−Ｏｎｌｙ  Ｍｅｍｏｒｙ）、カード、スティック又はキードライブ等）を含んでもよいが、それらに限らない。尚、本明細書に記載の各種記憶媒体は情報を記憶するための、１つ又は複数の装置及び／又は他のディバイス可読媒体を表す。「ディバイス可読媒体」という用語は、命令及び／又はデータを格納、包含、及び／又は搬送できる各種の媒体を含むが、それらには限らない。
【００３８】
理解されるように、本明細書における「システム」と「ネットワーク」という用語は、本明細書においてしばしば交換可能に使用される。本明細書における「及び／又は」という用語は、関連するオブジェクトの関連関係を説明するだけのものであり、３つの関係が存在し得ることを表し、例えば、Ａ及び／又はＢという場合、Ａが単独に存在する、ＡとＢが同時に存在する、Ｂが単独に存在する、という３つの状況を表すことができる。また、本明細書における「／」という文字は、一般的に前後の関連オブジェクトが「又は」の関係であることを表す。
【００３９】
図３は本願実施例による無線通信の方法２００の模式的なフローチャートである。図３に示すように、該方法２００は端末から端末への通信に適用され、該方法２００は端末装置によって実行でき、該端末装置は図１又は図２に示す端末装置であってもよく、該方法２００は以下の２１０の内容を含む。
【００４０】
２１０、端末装置は設定情報に基づいて第１サービスを伝送するＲＡＴを決定し、
該設定情報は少なくとも１つのサービスと少なくとも１つのＲＡＴとの対応関係を示し、該第１サービスは該少なくとも１つのサービスに属する。
【００４１】
例えば、第１サービスを伝送するＲＡＴは第５世代移動通信技術の新しいエアインタフェース（５Ｇ  ＮＲ、５−Ｇｅｎｅｒａｔｉｏｎ  Ｎｅｗ  Ｒａｄｉｏ）通信ネットワークに対するＲＡＴである。
【００４２】
また例えば、第１サービスを伝送するＲＡＴはＬＴＥ通信ネットワークに対するＲＡＴである。
【００４３】
選択肢として、該設定情報は第１サービスと少なくとも１つのＲＡＴとの対応関係を設定する。
【００４４】
例えば、該設定情報は第１サービスがＲＡＴ  １に対応することを示す。
【００４５】
また例えば、該設定情報は第１サービスがＲＡＴ  １及びＲＡＴ  ２に対応することを示す。
【００４６】
選択肢として、該設定情報は少なくとも１つのサービスと少なくとも１つのＲＡＴとの対応関係を設定する。
【００４７】
例えば、表１に示すように、第１サービスはサービスｂであり、そのサービスｂはＲＡＴ  １に対応する。
【表１】
2021508970.tif 000003
【００４８】
選択肢として、該設定情報は具体的に、該少なくとも１つのサービスの識別子と該少なくとも１つのＲＡＴとの対応関係を示すことに用いられる。
【００４９】
例えば、サービスの識別子はＡであり、該設定情報は、サービスＡがＲＡＴ  １に対応することを示す。
【００５０】
選択肢として、該少なくとも１つのサービスの識別子はＰＳＩＤ又はＩＴＳ−ＡＩＤである。
【００５１】
選択肢として、該設定情報は具体的に、該少なくとも１つのサービスのＰＰＰＰと該少なくとも１つのＲＡＴとの対応関係を示すことに用いられる。
【００５２】
例えば、該設定情報は、サービスＰＳＩＤ  Ａ、ＰＰＰＰ  ３のデータがＲＡＴ  １に対応し、サービスＰＳＩＤ  Ａ、ＰＰＰＰ  ２のデータがＲＡＴ  ２に対応することを示す。
【００５３】
選択肢として、該ＲＡＴは該第１タイプのキャリアに対するＲＡＴ、及び／又は、該第２タイプのキャリアに対するＲＡＴであり、該第１タイプのキャリアはアップリンクにおけるデータを伝送することに用いられ、該第２タイプのキャリアはサイドリンクにおけるデータを伝送することに用いられる。
【００５４】
選択肢として、該第１タイプのキャリアはＵｕキャリアであってもよく、該第２タイプのキャリアはＰＣ５キャリアであってもよい。
【００５５】
選択肢として、該ＲＡＴはアクセス層パラメータを含み、該アクセス層パラメータは、
変調に６４ＱＡＭを使用するかどうか、伝送に送信ダイバーシティを使用するかどうか、伝送にキャリアアグリゲーションを使用するかどうか、のうちの少なくとも１つである。
【００５６】
選択肢として、該端末装置のアクセス層は該端末装置の上位層から該設定情報を受信する。
【００５７】
選択肢として、該設定情報は、該端末装置の上位層に事前設定したものであってもよく、ネットワーク装置が該端末装置の上位層に動的に設定したものであってもよい。
【００５８】
選択肢として、該端末装置はネットワーク装置から該設定情報を受信する。
【００５９】
従って、本願実施例の無線通信の方法では、端末装置は少なくとも１つのサービスと少なくとも１つのＲＡＴとの対応関係を示す設定情報に基づいて第１サービスを伝送するＲＡＴを決定でき、これにより、第１サービスのデータの確実な伝送を確保する。
【００６０】
図４は本願実施例による無線通信の方法３００の模式的なフローチャートである。図４に示すように、該方法３００は端末から端末への通信に適用され、該方法３００はネットワーク装置によって実行でき、該ネットワーク装置は図１に示すネットワーク装置であってもよく、該方法３００は以下の３１０の内容を含む。
【００６１】
３１０、ネットワーク装置は端末装置に設定情報を送信して、該端末装置が該設定情報に基づいて第１サービスを伝送するＲＡＴを決定するようにし、
該設定情報は少なくとも１つのサービスと少なくとも１つのＲＡＴとの対応関係を示し、該第１サービスは該少なくとも１つのサービスに属する。
【００６２】
選択肢として、該設定情報は具体的に、該少なくとも１つのサービスの識別子と該少なくとも１つのＲＡＴとの対応関係を示すことに用いられる。
【００６３】
選択肢として、該少なくとも１つのサービスの識別子はＰＳＩＤ又はＩＴＳ−ＡＩＤである。
【００６４】
選択肢として、該設定情報は具体的に、該少なくとも１つのサービスのＰＰＰＰと該少なくとも１つのＲＡＴとの対応関係を示すことに用いられる。
【００６５】
選択肢として、該ＲＡＴは該第１タイプのキャリアに対するＲＡＴ、及び／又は、該第２タイプのキャリアに対するＲＡＴであり、該第１タイプのキャリアはアップリンク及び／又はダウンリンクにおけるデータを伝送することに用いられ、該第２タイプのキャリアはサイドリンクにおけるデータを伝送することに用いられる。
【００６６】
選択肢として、該ＲＡＴはアクセス層パラメータを含み、該アクセス層パラメータは、
変調に６４ＱＡＭを使用するかどうか、伝送に送信ダイバーシティを使用するかどうか、伝送にキャリアアグリゲーションを使用するかどうか、のうちの少なくとも１つである。
【００６７】
理解されるように、無線通信の方法３００におけるステップについては、無線通信の方法２００における対応するステップの記載を参照でき、簡潔のために、ここでは繰り返し説明しない。
【００６８】
従って、本願実施例の無線通信の方法では、ネットワーク装置は少なくとも１つのサービスと少なくとも１つのＲＡＴとの対応関係を示す設定情報を端末装置に設定し、これにより、端末装置は設定情報に基づいて第１サービスを伝送するＲＡＴを決定でき、それによって、第１サービスのデータの確実な伝送を確保する。
【００６９】
図５は本願実施例による端末装置４００の模式的なブロック図である。図５に示すように、該端末装置４００は端末から端末への通信に適用され、該端末装置４００は、
設定情報に基づいて第１サービスを伝送する無線アクセス技術（ＲＡＴ）を決定し、
該設定情報は少なくとも１つのサービスと少なくとも１つのＲＡＴとの対応関係を示し、該第１サービスは該少なくとも１つのサービスに属することに用いられる処理ユニット４１０を備える。
【００７０】
選択肢として、該設定情報は具体的に、該少なくとも１つのサービスの識別子と該少なくとも１つのＲＡＴとの対応関係を示すことに用いられる。
【００７１】
選択肢として、該少なくとも１つのサービスの識別子は、サービスプロバイダ識別子（ＰＳＩＤ）又はインテリジェント伝送システムアプリケーション識別子（ＩＴＳ−ＡＩＤ）である。
【００７２】
選択肢として、該設定情報は具体的に、該少なくとも１つのサービスのデータパケット優先順位（ＰＰＰＰ）と該少なくとも１つのＲＡＴとの対応関係を示すことに用いられる。
【００７３】
選択肢として、該ＲＡＴは該第１タイプのキャリアに対するＲＡＴ、及び／又は、該第２タイプのキャリアに対するＲＡＴであり、該第１タイプのキャリアはアップリンクにおけるデータを伝送することに用いられ、該第２タイプのキャリアはサイドリンクにおけるデータを伝送することに用いられる。
【００７４】
選択肢として、該ＲＡＴはアクセス層パラメータを含み、該アクセス層パラメータは、
変調に直交振幅変調（６４ＱＡＭ）を使用するかどうか、伝送に送信ダイバーシティを使用するかどうか、伝送にキャリアアグリゲーションを使用するかどうか、のうちの少なくとも１つである。
【００７５】
選択肢として、該端末装置は該端末装置のアクセス層であり、該処理ユニット４１０が該設定情報に基づいて該第１サービスを伝送する該ＲＡＴを決定する前に、該端末装置４００は更に、
該端末装置の上位層から該設定情報を受信することに用いられる受信ユニット４２０を備える。
【００７６】
選択肢として、該処理ユニット４１０が該設定情報に基づいて該第１サービスを伝送する該ＲＡＴを決定する前に、該端末装置４００は更に、
ネットワーク装置から該設定情報を受信することに用いられる受信ユニット４２０を備える。
【００７７】
理解されるように、該端末装置４００は方法実施例における端末装置に対応でき、方法実施例における端末装置の実現する相応の操作を実現することができ、簡潔のために、ここでは繰り返し説明しない。
【００７８】
図６は本願実施例によるネットワーク装置５００の模式的なブロック図である。図６に示すように、該ネットワーク装置５００は端末から端末への通信に適用され、該ネットワーク装置５００は、
端末装置に設定情報を送信して、該端末装置が該設定情報に基づいて第１サービスを伝送する無線アクセス技術（ＲＡＴ）を決定するようにし、
該設定情報は少なくとも１つのサービスと少なくとも１つのＲＡＴとの対応関係を示し、該第１サービスは該少なくとも１つのサービスに属することに用いられる送信ユニット５１０を備える。
【００７９】
選択肢として、該設定情報は具体的に、該少なくとも１つのサービスの識別子と該少なくとも１つのＲＡＴとの対応関係を示すことに用いられる。
【００８０】
選択肢として、該少なくとも１つのサービスの識別子は、サービスプロバイダ識別子（ＰＳＩＤ）又はインテリジェント伝送システムアプリケーション識別子（ＩＴＳ−ＡＩＤ）である。
【００８１】
選択肢として、該設定情報は具体的に、該少なくとも１つのサービスのデータパケット優先順位（ＰＰＰＰ）と該少なくとも１つのＲＡＴとの対応関係を示すことに用いられる。
【００８２】
選択肢として、該ＲＡＴは該第１タイプのキャリアに対するＲＡＴ、及び／又は、該第２タイプのキャリアに対するＲＡＴであり、該第１タイプのキャリアはアップリンク及び／又はダウンリンクにおけるデータを伝送することに用いられ、該第２タイプのキャリアはサイドリンクにおけるデータを伝送することに用いられる。
【００８３】
選択肢として、該ＲＡＴはアクセス層パラメータを含み、該アクセス層パラメータは、
変調に直交振幅変調（６４ＱＡＭ）を使用するかどうか、伝送に送信ダイバーシティを使用するかどうか、伝送にキャリアアグリゲーションを使用するかどうか、のうちの少なくとも１つである。
【００８４】
理解されるように、該ネットワーク装置５００は方法実施例におけるネットワーク装置に対応でき、方法実施例におけるネットワーク装置の実現する相応の操作を実現することができ、簡潔のために、ここでは繰り返し説明しない。
【００８５】
図７は本願実施例のシステムチップ６００の模式的な構造図である。図７のシステムチップ６００は、入力インタフェース６０１、出力インタフェース６０２、プロセッサ６０３、メモリ６０４を備え、前記入力インタフェース６０１、出力インタフェース６０２、プロセッサ６０３、及びメモリ６０４の間は内部通信接続回路で接続されてもよく、前記プロセッサ６０３は前記メモリ６０４におけるコードを実行することに用いられる。
【００８６】
選択肢として、前記コードが実行される時、前記プロセッサ６０３は方法実施例における、端末装置によって実行される方法を実現する。簡潔のために、ここでは繰り返し説明しない。
【００８７】
選択肢として、前記コードが実行される時、前記プロセッサ６０３は方法実施例における、ネットワーク装置によって実行される方法を実現する。簡潔のために、ここでは繰り返し説明しない。
【００８８】
図８は本願実施例による無線通信装置７００の模式的なブロック図である。図８に示すように、該通信装置７００はプロセッサ７１０及びメモリ７２０を備える。該メモリ７２０にプログラムコードが記憶されてもよく、該プロセッサ７１０は該メモリ７２０に記憶されるプログラムコードを実行してもよい。
【００８９】
選択肢として、図８に示すように、該無線通信装置７００は送受信機７３０を備えてもよく、プロセッサ７１０は送受信機７３０の対外通信を制御してもよい。
【００９０】
選択肢として、該プロセッサ７１０はメモリ７２０に記憶されるプログラムコードを呼び出して、方法実施例における端末装置の相応の操作を実行することができ、簡潔のために、ここでは繰り返し説明しない。
【００９１】
選択肢として、該プロセッサ７１０はメモリ７２０に記憶されるプログラムコードを呼び出して、方法実施例におけるネットワーク装置の相応の操作を実行することができ、簡潔のために、ここでは繰り返し説明しない。
【００９２】
理解されるように、本願実施例のプロセッサは信号処理機能を有する集積回路チップであり得る。実現過程において、上記方法実施例の各ステップはプロセッサにおけるハードウェアの集積論理回路又はソフトウェア形式の命令で遂行できる。上記のプロセッサは、汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブル論理デバイス、個別ゲート又はトランジスタ論理デバイス、個別ハードウェア構成要素であってもよい。本願実施例に開示される各方法、ステップ及び論理ブロック図を実現又は実行することができる。汎用プロセッサはマイクロプロセッサであってもよく、又は該プロセッサは更に如何なる通常のプロセッサ等であってもよい。本願実施例に開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサがメモリにおける情報を読み取り、そのハードウェアと組み合わせて上記方法のステップを遂行する。
【００９３】
理解できるように、本願実施例において、メモリは揮発性メモリ又は不揮発性メモリであってもよく、又は、揮発性メモリと不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリはランダムアクセスメモリ（ＲＡＭ、Ｒａｎｄｏｍ  Ａｃｃｅｓｓ  Ｍｅｍｏｒｙ）であってもよく、外部キャッシュメモリとして使用される。制限的ではなく、例示的な説明によれば、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）が利用可能である。注意されるべきように、本明細書に説明されるシステム及び方法のメモリはこれらのメモリ及び任意の他の適切なタイプのメモリを含むが、これらに限らないように意図されている。
【００９４】
当業者が意識できるように、本明細書に開示される実施例を参照して説明した各例示的なユニット及びアルゴリズムステップは、電子ハードウェア、又はコンピュータソフトウェアと電子ハードウェアの組み合わせで実現できる。これらの機能をハードウェアそれともソフトウェア方式で実行するかは、技術案の特定応用及び設計制約条件によって決定される。当業者は各特定応用に応じて異なる方法でここの説明される機能を実現することができるが、このような実現は本願の範囲を超えるものと見なされるべきではない。
【００９５】
当業者が明確に理解できるように、説明を容易且つ簡単にするために、上記説明されたシステム、装置及びユニットの具体的な動作過程は、前述の方法実施例における対応する過程を参照でき、ここでは詳細な説明は省略する。
【００９６】
本願に係る幾つかの実施例において、理解されるように、開示されるシステム、装置及び方法は他の方式で実現されてもよい。例えば、上記の装置実施例は単に模式的なものであり、例えば、説明したユニットの区分は論理的な機能区分に過ぎず、実際の実施では他の区分方式があってもよく、例えば、複数のユニット又はコンポーネントが組み合わせられてもよく、又は他のシステムに統合されてもよく、又は幾つかの特徴が省略されても、又は実行されなくてもよい。尚、表示又は検討される相互間の結合又は直接結合又は通信接続は、幾つかのインタフェース、装置又はユニットを介した間接結合又は通信接続であってもよく、電気的、機械的、又は他の形態であってもよい。
【００９７】
分離部材として説明された前記ユニットは物理的に分離したものであってもでなくてもよく、ユニットとして表示された部材は物理ユニットであってもでなくてもよく、即ち、一箇所に位置してもよく、又は複数のネットワークユニットに分散されてもよい。実際の需要に応じてその一部又は全部のユニットを選択して、本実施例案の目的を実現してもよい。
【００９８】
また、本願の各実施例において、各機能ユニットは１つの処理ユニットに統合されてもよく、各ユニットは独立して物理的に存在してもよく、２つ又は２つ以上のユニットが１つのユニットに統合されてもよい。
【００９９】
前記機能がソフトウェア機能ユニットの形で実現され、そして独立した製品として販売又は使用される場合、コンピュータ読み取り可能な記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は１つの記憶媒体に記憶され、そして該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための若干の命令を含む。前述の記憶媒体は、ＵＳＢディスク、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等の、プログラムコードを記憶できる各種の媒体を含む。
【０１００】
以上の説明は本願の具体的な実施形態に過ぎず、本願の保護範囲を制限するためのものではなく、当業者が本願に開示される技術的範囲内において容易に想到し得る変更や置換は、いずれも本願の保護範囲内に含まれるべきである。従って、本発明の実施例の保護範囲は特許請求の範囲に準じるべきである。
【図１】
2021508970.tif 000004
【図２】
2021508970.tif 000005
【図３】
2021508970.tif 000006
【図４】
2021508970.tif 000007
【図５】
2021508970.tif 000008
【図６】
2021508970.tif 000009
【図７】
2021508970.tif 000010
【図８】
2021508970.tif 000011
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
無線通信の方法であって、ＰＣ５キャリアによる端末から端末への通信に適用され、
端末装置が設定情報を取得し、前記設定情報はサービスの識別子と少なくとも１つの無線アクセス技術（ＲＡＴ）との対応関係を示し、前記少なくとも１つのＲＡＴはアクセス層パラメータを含むことと、
前記端末装置が前記設定情報に基づいて第１サービスを伝送する少なくとも１つのアクセス層パラメータを決定し、前記第１サービスは前記サービスに属することと、
前記端末装置が前記少なくとも１つのアクセス層パラメータを使用して前記第１サービスを送信することと、を含むことを特徴とする無線通信の方法。
【請求項２】
前記サービスの識別子は、サービスプロバイダ識別子（ＰＳＩＤ）又はインテリジェント伝送システムアプリケーション識別子（ＩＴＳ−ＡＩＤ）のうちの少なくとも１つを含むことを特徴とする請求項１に記載の方法。
【請求項３】
前記アクセス層パラメータは、変調に直交振幅変調（６４ＱＡＭ）を使用するかどうかを示すものであり、前記設定情報は具体的に、前記サービスのデータパケット優先順位（ＰＰＰＰ）と前記少なくとも１つのＲＡＴとの対応関係を示すことに用いられることを特徴とする請求項１に記載の方法。
【請求項４】
前記端末装置が前記設定情報に基づいて前記第１サービスを伝送する前記少なくとも１つのアクセス層パラメータを決定する前に、前記方法は更に、
前記端末装置がネットワーク装置から前記設定情報を受信することを含むことを特徴とする請求項１〜３のいずれか１項に記載の方法。
【請求項５】
前記少なくとも１つのＲＡＴは第１タイプのキャリアに対するＲＡＴ、及び／又は、第２タイプのキャリアに対するＲＡＴであり、前記第１タイプのキャリアはアップリンクにおけるデータを伝送することに用いられ、前記第２タイプのキャリアはサイドリンクにおけるデータを伝送することに用いられることを特徴とする請求項１〜４のいずれか１項に記載の方法。
【請求項６】
前記アクセス層パラメータは、
変調に直交振幅変調（６４ＱＡＭ）を使用するかどうか、伝送に送信ダイバーシティを使用するかどうか、伝送にキャリアアグリゲーションを使用するかどうか、のうちの少なくとも１つであることを特徴とする請求項１〜５のいずれか１項に記載の方法。
【請求項７】
前記設定情報は前記サービスの識別子と少なくとも１つの無線アクセス技術（ＲＡＴ）との対応関係を示すプロフィール 情報であることを特徴とする請求項１〜６のいずれか１項に記載の方法。
【請求項８】
端末装置であって、ＰＣ５キャリアによる端末から端末への通信に適用され、
設定情報を取得することに用いられ、前記設定情報はサービスの識別子と少なくとも１つの無線アクセス技術（ＲＡＴ）との対応関係を示し、前記少なくとも１つのＲＡＴはアクセス層パラメータを含む処理ユニットを含み、
前記処理ユニットは更に、前記設定情報に基づいて第１サービスを伝送する少なくとも１つのアクセス層パラメータを決定し、前記第１サービスは前記サービスに属することに用いられ、
前記処理ユニットは更に、前記少なくとも１つのアクセス層パラメータを使用して前記第１サービスを送信することに用いられることを特徴とする端末装置。
【請求項９】
前記サービスの識別子は、サービスプロバイダ識別子（ＰＳＩＤ）又はインテリジェント伝送システムアプリケーション識別子（ＩＴＳ−ＡＩＤ）のうちの少なくとも１つを含むことを特徴とする請求項８に記載の端末装置。
【請求項１０】
前記アクセス層パラメータは、変調に直交振幅変調（６４ＱＡＭ）を使用するかどうかを示すものであり、前記設定情報は具体的に、前記サービスのデータパケット優先順位（ＰＰＰＰ）と前記少なくとも１つのＲＡＴとの対応関係を示すことに用いられることを特徴とする請求項８に記載の端末装置。
【請求項１１】
前記処理ユニットが前記設定情報に基づいて前記第１サービスを伝送する前記少なくとも１つのアクセス層パラメータを決定する前に、前記端末装置は更に、
ネットワーク装置から前記設定情報を受信することに用いられる受信ユニットを備えることを特徴とする請求項８〜１０のいずれか１項に記載の端末装置。
【請求項１２】
前記少なくとも１つのＲＡＴは第１タイプのキャリアに対するＲＡＴ、及び／又は、第２タイプのキャリアに対するＲＡＴであり、前記第１タイプのキャリアはアップリンクにおけるデータを伝送することに用いられ、前記第２タイプのキャリアはサイドリンクにおけるデータを伝送することに用いられることを特徴とする請求項８〜１１のいずれか１項に記載の端末装置。
【請求項１３】
前記アクセス層パラメータは、
変調に直交振幅変調（６４ＱＡＭ）を使用するかどうか、伝送に送信ダイバーシティを使用するかどうか、伝送にキャリアアグリゲーションを使用するかどうか、のうちの少なくとも１つであることを特徴とする請求項８〜１２のいずれか１項に記載の端末装置。
【請求項１４】
前記設定情報は前記サービスの識別子と少なくとも１つの無線アクセス技術（ＲＡＴ）との対応関係を示すプロフィール 情報であることを特徴とする請求項８〜１３のいずれか１項に記載の端末装置。
【請求項１５】
不揮発性コンピュータ読み取り可能な記憶媒体であって、コンピュータ実行可能な命令が記憶され、前記コンピュータ実行可能な命令が１つの又は複数のプロセッサにより実行される時、１つの又は複数のプロセッサに操作を実行させ、前記操作は、
設定情報を取得し、前記設定情報はサービスの識別子と少なくとも１つの無線アクセス技術（ＲＡＴ）との対応関係を示し、前記少なくとも１つのＲＡＴはアクセス層パラメータを含むことと、
前記設定情報に基づいて第１サービスを伝送する少なくとも１つのアクセス層パラメータを決定し、前記第１サービスは前記サービスに属することと、
前記少なくとも１つのアクセス層パラメータを使用して前記第１サービスを送信することと、を含むことを特徴とする不揮発性コンピュータ読み取り可能な記憶媒体。
【手続補正２】
【補正対象書類名】図面
【補正対象項目名】図８
【補正方法】変更
【補正の内容】
【図８】
2021508970.tif 000012
【国際調査報告】
2021508970.tif 000013
2021508970.tif 000014
2021508970.tif 000015
2021508970.tif 000016